(57)【要約】【課題】軟便や下痢便を好適に収容することができる使い捨てパンツ型おむつを提供する。【解決手段】前腹部Ｐと後背部Ｑとこれらの間に位置する股部Ｒとから構成され、前腹部Ｐと後背部Ｑとが接合されることによりウェスト開口部３と一対の脚開口部４とが形成されたおむつ本体２と、股部Ｒに備えられた吸収性コア１０とを有し、第１弾性部材１３が、股部Ｒを横断し前側の両脚開口部の縁１５に沿って設けられ、第２弾性部材１４が、第１弾性部材１３と離間して、股部Ｒを横断し後側の両脚開口部の縁１５に沿って連続的に設けられ、第１弾性部材１３が股部において断続的に設けられていることを特徴とする使い捨てパンツ型おむつ。【選択図】図２
2011036500.tif 000002
【特許請求の範囲】
【請求項１】
前腹部と後背部とこれらの間に位置する股部とから構成され、前腹部と後背部とが接合されることによりウェスト開口部と一対の脚開口部とが形成されたおむつ本体と、
前記股部に備えられた吸収性コアとを有し、
第１弾性部材が、前記股部を横断し前側の両脚開口部の縁に沿って設けられ、
第２弾性部材が、前記第１弾性部材と離間して、前記股部を横断し後側の両脚開口部の縁に沿って連続的に設けられ、
前記第１弾性部材が、股部において断続的に設けられていることを特徴とする使い捨てパンツ型おむつ。
【請求項２】
前記第２弾性部材の股部横断部の最も前側が、おむつ本体の前後方向中心から前側に９０ｍｍ以内および後側に４０ｍｍ以内の領域にある請求項１に記載の使い捨てパンツ型おむつ。
【請求項３】
前記第１弾性部材と前記第２弾性部材とが、１０ｍｍ以上５０ｍｍ以下離間している請求項１または２に記載の使い捨てパンツ型おむつ。
【発明の詳細な説明】
【技術分野】
【０００１】
本発明は、幼児用または大人用の使い捨てパンツ型おむつに関するものである。
【背景技術】
【０００２】
従来、使い捨てパンツ型おむつが知られている。例えば、特許文献１には、股部を横断し前側の両脚開口部の縁に沿って連続的に設けられる第１弾性部材と、股部を横断し後側の両脚開口部の縁に沿って連続的に設けられる第２弾性部材とを有する使い捨てパンツ型おむつが開示されている。
【先行技術文献】
【特許文献】
【０００３】
【特許文献１】特開平６−２９６６４３号公報
【発明の概要】
【発明が解決しようとする課題】
【０００４】
従来の使い捨てパンツ型おむつは、着用者が水分の多い軟便や下痢便を排泄した場合、軟便や下痢便がおむつに広範囲に広がって着用者の臀部を広範囲に汚し、おむつから横漏れするおそれがあった。本発明は前記事情に鑑みてなされたものであり、その目的は、軟便や下痢便を好適に収容することができる使い捨てパンツ型おむつを提供することにある。
【課題を解決するための手段】
【０００５】
前記課題を解決することができた本発明の使い捨てパンツ型おむつとは、前腹部と後背部とこれらの間に位置する股部とから構成され、前腹部と後背部とが接合されることによりウェスト開口部と一対の脚開口部とが形成されたおむつ本体と、前記股部に備えられた吸収性コアとを有し、第１弾性部材が前記股部を横断し前側の両脚開口部の縁に沿って設けられ、第２弾性部材が、前記第１弾性部材と離間して、前記股部を横断し後側の両脚開口部の縁に沿って連続的に設けられ、前記第１弾性部材が股部において断続的に設けられているところに特徴を有する。
【０００６】
本発明の使い捨てパンツ型おむつは、第２弾性部材により、おむつの底部や後側に窪みが形成され、この窪みに軟便や下痢便を収容することができるため、軟便や下痢便がおむつに広範囲に広がりにくくなり、着用者や介護者に与える不快感を緩和できる。また、軟便や下痢便のおむつからの横漏れも起こりにくくなる。
【０００７】
第２弾性部材の股部横断部の最も前側は、おむつ本体の前後方向中心から前側に９０ｍｍ以内および後側に４０ｍｍ以内の領域にあることが好ましい。前記構成によれば、第２弾性部材により形成される窪みに、軟便や下痢便が好適に収容できるようになる。
【０００８】
第１弾性部材と第２弾性部材とは、１０ｍｍ以上５０ｍｍ以下離間していることが好ましい。前記構成により、両脚開口部の縁に沿ってレッグギャザーが好適に形成され、股部からの尿の排泄物の漏れが防止されるとともに、第１弾性部材により第２弾性部材の伸縮が阻害されにくくなり、第２弾性部材により窪みが良好に形成されやすくなる。
【発明の効果】
【０００９】
本発明の使い捨てパンツ型おむつは、軟便や下痢便を好適に収容することができる。
【図面の簡単な説明】
【００１０】
【図１】本発明の使い捨てパンツ型おむつを表す。
【図２】図１の使い捨てパンツ型おむつの前腹部と後背部との接合を解いて、平面に展開した状態を表す。
【図３】図２におけるＡ−Ａ断面図を表す。
【図４】図１の使い捨てパンツ型おむつの側面から見た図を表す。
【発明を実施するための形態】
【００１１】
本発明の使い捨てパンツ型おむつは、前腹部と後背部とこれらの間に位置する股部とから構成されたおむつ本体を有する。おむつ本体は、前腹部と後背部とが接合されることによりウェスト開口部と一対の脚開口部とが形成される。詳細には、前腹部と後背部とがおむつ幅方向両側縁部において互いに接合されることにより、股部の両側に一対の脚開口部が形成されるとともに、前腹部と後背部のおむつ前後方向両側縁部から形成されるウェスト開口部が形成される。
【００１２】
おむつ本体の各部の名称については、使い捨てパンツ型おむつを着用の際に、着用者の腹側に当てる部分を前腹部と称し、着用者の尻側に当てる部分を後背部と称し、前腹部と後背部との間に位置し着用者の股間に当てる部分を股部と称する。股部とは、使い捨てパンツ型おむつの前腹部と後背部との接合を解いて、おむつ本体を平面に展開した状態で、おむつ前後方向に３分割した中間に位置する部分であり、パンツ型に形成された場合におむつ幅方向両側縁部が接合されない部分を意味する。従って、脚開口部は、股部の両側にのみ形成されることとなる。
【００１３】
おむつ前後方向とは、使い捨てパンツ型おむつの前腹部から後背部にかけての方向を意味する。前側とは後背部から前腹部への方向を意味し、後側とはその逆方向を意味する。おむつ幅方向とは、おむつ本体を平面に展開した状態で、使い捨てパンツ型おむつと同一面上にあり、前記前後方向に直交する方向を意味する。
【００１４】
本発明の使い捨てパンツ型おむつは、おむつ本体の股部に備えられた吸収性コアを有する。吸収性コアは、少なくとも股部に存在すればよく、さらに前腹部および／または後背部とにかけて存在してもよい。
【００１５】
吸収性コアが備わったおむつ本体の態様としては、例えば、液透過性のトップシートと液不透過性のバックシートとの間に吸収性コアが挟み込まれた積層体からなり、この積層体が前腹部と後背部とこれらの間に位置する股部とを有しているものが示される。吸収性コアが備わったおむつ本体の態様としては、また、内側シートと外側シートとからなる積層体が前腹部と後背部とこれらの間に位置する股部とからなるおむつ本体を形成し、内側シートの着用者側の面に、液透過性のトップシートと液不透過性のバックシートとの間に吸収性コアが挟み込まれた吸収性本体が設けられているものであってもよい。
【００１６】
前記トップシートには、液透過性材料を用いることが好ましく、前記バックシートには、液不透過性または撥水性材料を用いることが好ましい。前記内側シートには、親水性または撥水性材料を用いることが好ましく、前記外側シートには、撥水性材料を用いることが好ましい。
【００１７】
吸収性コアは、尿等の液体の排泄物を吸収できるものであれば特に限定されず、吸水性樹脂を含むことが好ましい。吸収性コアは、例えば、粉砕したパルプ繊維やセルロース繊維等の親水性繊維集合層に粒状の吸水性樹脂を混合または散布したものを、ティッシュペーパーなどの紙シートまたは液透過性不織布シート等の被覆シートで包み、長方形、砂時計型、ひょうたん型、羽子板型等の所定形状に成形することにより得られる。
【００１８】
本発明の使い捨てパンツ型おむつは、股部を横断し前側の両脚開口部の縁に沿って設けられる第１弾性部材と、股部を横断し後側の両脚開口部の縁に沿って設けられる第２弾性部材とを有する。第１弾性部材と第２弾性部材は、いずれも、股部を横断して設けられる股部横断部と、脚開口部の縁に沿って設けられる脚開口縁部とを有する。第１および第２弾性部材の脚開口縁部は、使い捨てパンツ型おむつの左右の脚開口部の縁に沿って各々２ヶ所設けられ、股部横断部の両端に各脚開口縁部が接続している。
【００１９】
第１および第２弾性部材は、少なくとも股部に設けられ、さらに前腹部および／または後背部にも延在してもよい。好ましくは、第１および第２弾性部材は、前腹部と後背部との接合部分まで延在する。
【００２０】
第２弾性部材は、第１弾性部材と離間して設けられている。従って、第１弾性部材と第２弾性部材とは、互いに接触したり交差しない。
【００２１】
第１および第２弾性部材の脚開口縁部は、いずれも連続的に設けられている。第１弾性部材の脚開口縁部と第２弾性部材の脚開口縁部とにより、着用者の脚周りに沿ったレッグギャザーが形成され、股部からの尿や軟便等の排泄物の漏れが防止される。脚開口縁部とは、脚開口部の縁に沿って設けられる部分を意味するが、脚開口縁部は縁ぎりぎりに設けられるとは限らず、通常、脚開口部の縁から５ｍｍ以上内側に設けられる。
【００２２】
股部横断部については、第２弾性部材の股部横断部が連続的に設けられるのに対し、第１弾性部材の股部横断部は断続的に設けられる。従って、第２弾性部材は、股部を横断し後側の両脚開口部の縁に沿って連続的に設けられている。
【００２３】
第２弾性部材は、股部を横断し後側の両脚開口部の縁に沿って連続的に設けられているため、おむつの底部や後側に、股部横断部から脚開口縁部にかけて窪みが形成される。また、第２弾性部材が第１弾性部材と離間して設けられ、第１弾性部材が股部において断続的に設けられているため、第１弾性部材により第２弾性部材の伸縮が阻害されにくくなり、第２弾性部材により窪みが良好に形成されやすくなる。この窪みについて、例えば、第１弾性部材も全体にわたり連続的に設けられている場合は、第２弾性部材の股部横断部が第１弾性部材側に引っ張られる形となり、深い窪みが形成されにくくなるところ、本発明の使い捨てパンツ型おむつは第１弾性部材の股部横断部が断続的に設けられているため、第２弾性部材により深い窪みが形成されやすくなる。
【００２４】
第２弾性部材により形成される窪みは、水分の多い軟便や下痢便を受けるのに効果を発揮する。軟便や下痢便は、水分が多く流動性が高い一方、尿よりも吸収性コアによる吸収速度が落ちる。従って、一般の使い捨ておむつにおいては、軟便や下痢便はおむつに広範囲に広がって着用者の臀部を広範囲に汚し、場合によってはおむつから横漏れするおそれがある。しかし、本発明の使い捨てパンツ型おむつは、第２弾性部材により形成される窪みに軟便や下痢便を受けることができ、その後時間をかけて吸収性コアが軟便や下痢便に含まれる水分を吸収することができるため、軟便や下痢便がおむつに広範囲に広がりにくくなり、着用者や介護者に与える不快感を緩和できる。また、軟便や下痢便のおむつからの横漏れも起きにくくなる。
【００２５】
また、本発明の使い捨てパンツ型おむつは、第１弾性部材が、股部において断続的に設けられているため、第１弾性部材の股部横断部の収縮力が低減し、おむつの前側の外観がすっきりして、見栄えが良くなる。
【００２６】
第２弾性部材により形成される窪みに軟便や下痢便が好適に収容されるためには、第２弾性部材は、股部横断部の最も前側が、おむつ本体の前後方向中心から前側に９０ｍｍ以内および後側に４０ｍｍ以内の領域（より好ましくは、前側に０ｍｍ以上５０ｍｍ以下の領域）にあることが好ましい。なお、股部横断部とは、股部を横断する部分であって、脚開口部の縁から３０ｍｍ以上内側の部分を意味する。また、おむつ本体の前後方向中心とは、使い捨てパンツ型おむつの前腹部と後背部との接合を解いて、おむつ本体を平面に展開した状態で、ウェスト開口部の前腹部側の縁と後背部側の縁との中間線を意味し、通常おむつの底部に位置する。おむつ本体の前後方向中心は、おむつを完全に広げた状態、すなわちおむつの弾性部材を完全に伸張させた状態での位置を意味する。
【００２７】
第１弾性部材と第２弾性部材とは、１０ｍｍ以上５０ｍｍ以下（より好ましくは、２０ｍｍ以上４０ｍｍ以下）離間していることが好ましい。第１弾性部材と前記第２弾性部材との離間距離が５０ｍｍ以下であれば、両脚開口部の縁に沿ってレッグギャザーが好適に形成され、股部からの尿や軟便等の排泄物の漏れが防止されやすくなる。第１弾性部材と前記第２弾性部材との離間距離が１０ｍｍ以上であれば、第１弾性部材により、第２弾性部材の伸縮が阻害されにくくなり、第２弾性部材により窪みが良好に形成されやすくなる。また、第１弾性部材の股部横断部を断続的に設けつつ、第２弾性部材の股部横断部を連続的に設けることが、容易になる。
【００２８】
第１弾性部材と第２弾性部材との離間距離とは、第１弾性部材と第２弾性部材とのおむつ前後方向の離間距離の最小値を意味する。好ましくは、第１弾性部材の最も後側と第２弾性部材の最も前側との間の距離が、前記離間距離と一致する。
【００２９】
第２弾性部材は、股部横断部が第２弾性部材の最も前側に位置していることが好ましい。この場合、第２弾性部材はおむつの前側に向かって凸となる形状で設けられることとなり、その結果、第２弾性部材により形成される窪みに、軟便や下痢便が好適に収容されるようになる。なお、第１弾性部材は、股部横断部が第１弾性部材の最も後側に位置していることが好ましい。
【００３０】
第１および第２弾性部材は、１本の弾性部材から構成されていても、複数の弾性部材から構成されていてもよいが、好ましくは、２本〜５本の弾性部材から構成される。弾性部材が複数の弾性部材から構成される場合、たとえ１本の弾性部材が切断したとしても、残った弾性部材で伸縮弾性を維持できる。また、複数の弾性部材を並べて配設することにより、高い伸張力を維持しつつ、着用感をソフトにすることができる。
【００３１】
第１および第２弾性部材は、伸張状態でおむつ本体に設けられることが好ましい。詳細には、第２弾性部材は、一方の脚開口縁部から股部横断部を経て他方の脚開口縁部にかけて伸張状態でおむつ本体に配置し、接着剤等によりおむつ本体に固定することが好ましい。第１弾性部材は、一方の脚開口縁部から股部横断部を経て他方の脚開口縁部にかけて伸張状態でおむつ本体に配置し、少なくとも脚開口縁部を接着剤等によりおむつ本体に固定した後、股部横断部を切断することが好ましい。この際、股部横断部も接着剤等によりおむつ本体に固定した後、股部横断部を複数箇所切断することが、製造効率上好ましい。股部横断部の切断は、例えば、弾性部材が配設されたおむつ本体を、表面に切断刃が複数設けられたロールカッターとフラットロールとで挟んで送り出すことにより、行えばよい。
【００３２】
第１および第２弾性部材は、２枚のシート間に設けられることが好ましい。例えば、おむつ本体が、液透過性のトップシートと液不透過性のバックシートとの間に吸収性コアが挟み込まれた積層体からなる場合、各弾性部材はトップシートとバックシートとの間に配設されることが好ましい。おむつ本体が内側シートと外側シートとからなる積層体からなり、内側シートの着用者側の面にトップシートとバックシートとの間に吸収性コアが挟み込まれた吸収性本体が設けられている場合は、各弾性部材は内側シートと外側シートとの間に配設されることが好ましい。
【００３３】
本発明の使い捨てパンツ型おむつは、吸収性コアのおむつ幅方向両側縁部に沿って、立ち上がりフラップが設けられていることが好ましい。立ち上がりフラップを設けることにより、尿や軟便等の横漏れをより確実に防ぐことができる。
【００３４】
立ち上がりフラップは、例えば、吸収性コアの上面の幅方向両側縁部に設けられてもよく、吸収性コアの幅方向両外側に設けられてもよい。吸収性コアがトップシートとバックシートとで挟み込まれる態様の場合、立ち上がりフラップは、例えばトップシートや、トップシート上面に折り返されたバックシート、あるいはトップシートとバックシートの両方に接合される。立ち上がりフラップは、液不透過性のプラスチックフィルムや撥水性不織布等により構成されることが好ましく、撥水性の不織布により構成されることがより好ましい。
【００３５】
立ち上がりフラップが立ち上がった状態の上側端部（着用者側の端部）には、起立用弾性部材が設けられていることが好ましい。起立用弾性部材の収縮力により、着用者側に立ち上がる立体ギャザーが形成され、尿や軟便等の横漏れが防止される。なお、立ち上がりフラップのおむつ前後方向の端部は、内面が例えばトップシート上に接合されていてもよく、これにより尿や軟便等の前後方向への漏れが防止される。
【００３６】
本発明の使い捨てパンツ型おむつには、第１および第２弾性部材以外に、ウェスト開口部の縁に沿ってウェスト用弾性部材が設けられていてもよく、また前腹部や後背部のおむつ幅方向に胴周り用弾性部材が設けられていてもよい。ウェスト用弾性部材により、着用者が寝ている状態でも、背中側や腹部側からの尿等の排泄物の漏れが起こりにくくなる。胴周り用弾性部材により、おむつの下腹部周りのフィット性が向上する。ウェスト用弾性部材や胴周り用弾性部材も、第１および第２弾性部材と同様に、２枚のシート間に配設されることが好ましい。
【００３７】
各弾性部材は、ポリウレタン糸、ポリウレタンフィルム、天然ゴム等の通常使い捨ておむつに用いられる弾性伸縮材料を用いることができる。各弾性部材は、伸張状態で、ホットメルト接着剤等の接着剤で固定されることが好ましい。例えば、繊度１００〜２，５００ｄｔｅｘのポリウレタン糸を、倍率１．１〜５．０倍に伸張して配設し、固定する。接着剤としては、ゴム系のホットメルト接着剤を用いることが好ましい。
【００３８】
次に、本発明の使い捨てパンツ型おむつの一例について、図面を参照して説明する。なお、本発明は、下記実施態様に限定されるものではない。
【００３９】
図１は、本発明の使い捨てパンツ型おむつを表す。図２は、図１の使い捨てパンツ型おむつの前腹部と後背部との接合を解いて、平面に展開した状態を表す。図３は、図２のＡ−Ａ断面図を表す。図４は、図１の使い捨てパンツ型おむつを側面から見た図を表す。図では、矢印ｘをおむつ幅方向とし、矢印ｙをおむつ前後方向と定義付けている。また、矢印ｘ，ｙにより形成される面に対して垂直方向を厚み方向ｚと定義付ける。
【００４０】
使い捨てパンツ型おむつ１は、前腹部Ｐと後背部Ｑとこれらの間に位置する股部Ｒとから構成され、前腹部Ｐと後背部Ｑとが接合されることによりウェスト開口部３と一対の脚開口部４とが形成されたおむつ本体２を有する。おむつ本体２は、内側シート５と外側シート６とからなる積層体である。
【００４１】
使い捨てパンツ型おむつ１の股部Ｒには、吸収性コア１０が備えられる。詳細には、使い捨てパンツ型おむつ１は、おむつ本体２の股部Ｒの肌面側に備えられ、トップシート８とバックシート９とこれらの間に挟まれた吸収性コア１０とを有する吸収性本体７を有する（図３）。トップシート８は、着用者の股部の肌に面するように配置され、尿等の液体の排泄物を透過する。トップシート８を透過した排泄物は、吸収性コア１０により収容される。バックシート９は、おむつ本体２の内側シート５に接合され、排泄物が外部へ漏れるのを防いでいる。
【００４２】
吸収性コア１０のおむつ幅方向ｘの両側縁部に沿って、立ち上がりフラップ１１が設けられている（図３）。立ち上がりフラップ１１は、トップシート８とバックシート９とに跨って接合され、おむつ前後方向ｙに延在している。立ち上がりフラップ１１のおむつ幅方向ｘの内方端部には、起立用弾性部材１２が配設されている。立ち上がりフラップ１１は、起立用弾性部材１２の収縮力により、トップシート８の上方（着用者側）に立ち上がる立体ギャザーを形成し、尿や軟便等の横漏れを防止する。なお、立ち上がりフラップ１１は、吸収性本体７の前後端部で、内面がトップシート８上に接合されており、これにより尿や軟便等の前後方向ｙの外方への漏れが防止される。
【００４３】
おむつ本体２には、第１弾性部材１３が、股部Ｒを横断し前側の両脚開口部４の縁１５に沿って設けられている。第１弾性部材１３は、股部Ｒを横断して設けられる股部横断部１３Ａと、前側の両脚開口部４の縁１５に沿って設けられる脚開口縁部１３Ｂとを有する。第１弾性部材１３は、脚開口縁部１３Ｂが連続的に設けられるのに対し、股部横断部１３Ａが断続的に設けられる。第１弾性部材１３は、内側シート５と外側シート６との間に配置されており、連続的に設けられる部分であっても、外観上は直接見えないため、図では破線で表示されている。
【００４４】
おむつ本体２には、第２弾性部材１４が、第１弾性部材１３と離間して、股部Ｒを横断し後側の両脚開口部４の縁１５に沿って設けられている。第２弾性部材１４は、股部Ｒを横断して設けられる股部横断部１４Ａと、後側の両脚開口部４の縁１５に沿って設けられる脚開口縁部１４Ｂとを有する。第２弾性部材１４は、股部横断部１４Ａと脚開口縁部１４Ｂの両方が連続的に設けられる。第２弾性部材１４は、内側シート５と外側シート６との間に配置されている。第２弾性部材１４は連続的に設けられるものの、外観上は直接見えないため、図では破線で表示されている。第２弾性部材１４の股部横断部１４Ａの最も前側は、おむつ本体２の前後方向中心から前側に９０ｍｍ以内および後側に４０ｍｍ以内の領域に位置している。
【００４５】
使い捨てパンツ型おむつ１は、第２弾性部材１４により、使い捨てパンツ型おむつ１の後側に窪み１６が形成され（図４）、この窪み１６には軟便や下痢便が好適に収容される。また、第１弾性部材１３の脚開口縁部１３Ｂと第２弾性部材１４の脚開口縁部１４Ｂとにより、両脚開口部４の縁１５に沿ってレッグギャザーが形成され、その結果、股部Ｒからの尿や軟便等の排泄物の漏れが防止される。
【００４６】
おむつ本体２には、ウェスト開口部３の縁１７に沿ってウェスト用弾性部材１８が設けられ、前腹部Ｐと後背部Ｑのおむつ幅方向ｘに胴周り用弾性部材１９が設けられている。ウェスト用弾性部材１８と胴周り用弾性部材１９も、内側シート５と外側シート６との間に配置されている。
【符号の説明】
【００４７】
１：  使い捨てパンツ型おむつ
２：  おむつ本体
１０：  吸収性コア
１３：  第１弾性部材
１４：  第２弾性部材
１６：  窪み
【図１】
2011036500.tif 000003
【図２】
2011036500.tif 000004
【図３】
2011036500.tif 000005
【図４】
2011036500.tif 000006